(57)【特許請求の範囲】
【請求項１】
ゴルフクラブヘッドであって、
前端部と、
前記前端部の反対側の後端部と、
ヒール部と、
前記ヒール部の反対側のトウ部と、
ソールと、
前記ソールの反対側のクラウンと、
フェースプレートと、
前記クラウンの一部に位置するリブ付き領域と、を備え、
前記リブ付き領域は、
リブ付き壁であって、
前記ゴルフクラブヘッドの内側に向いているリブ付き壁内側面と、
前記リブ付き壁内側面の反対側で前記ゴルフクラブヘッドの外側に向いているリブ付き壁外側面と、
前記リブ付き壁内側面から前記リブ付き壁外側面までで測定される厚さであって０．５ｍｍ未満である前記厚さと、を備える前記リブ付き壁と、
前記リブ付き壁外側面から突出する１つまたは複数の外部リブであって、前記リブ付き領域において湾曲しており、かつ前記クラブヘッドの前記後端部付近から前記前端部付近に向けて延びる１つまたは複数の外部リブと、
前記１つまたは複数の外部リブの間に位置する１つまたは複数の外部の薄い部分であって、前記リブ付き領域の７５％を超える部分が前記外部の薄い部分を含む、１つまたは複数の外部の薄い部分と、を備える、ゴルフクラブヘッド。
【請求項２】
クラブヘッド縁部から前記リブ付き領域までで測定される後方距離をさらに備え、前記クラブヘッド縁部は、前記ゴルフクラブヘッドの前記ヒール部、前記トウ部、または前記後端部の周辺に沿って画定され、
前記後方距離は、一定であり、
前記後方距離は、１ｍｍから１０ｍｍである、請求項１に記載のゴルフクラブヘッド。
【請求項３】
前記フェースプレートの上部から前記リブ付き領域までで測定される前方距離をさらに備え、
前記前方距離は、前記ヒール部から前記トウ部までで変化し、前記トウ部および前記ヒール部付近で最大になり、
前記前方距離は、２５ｍｍから４０ｍｍである、請求項１又は２に記載のゴルフクラブヘッド。
【請求項４】
前記１つまたは複数の外部リブは、互いに交差しない、請求項１から３のいずれか一項に記載のゴルフクラブヘッド。
【請求項５】
前記１つまたは複数の外部リブは、第１のリブであって、
第１の第１の外部リブ端点と、
第２の第１の外部リブ端点と、
前記第１の第１の外部リブ端点および前記第２の第１の外部リブ端点と交差する第１の外部リブ軸と、を有する前記第１のリブを備え、
前記１つまたは複数の外部リブは、第２の外部リブであって、
第１の第２の外部リブ端点と、
第２の第２の外部リブ端点と、
前記第１の第２の外部リブ端点および前記第２の第２の外部リブ端点と交差する第２の外部リブ軸と、を有する前記第２の外部リブをさらに備え、
前記第１の外部リブ軸および前記第２の外部リブ軸は、前記フェースプレートの前方であって前記ゴルフクラブヘッドの外部にある共通点で交差する、請求項１から４のいずれか一項に記載のゴルフクラブヘッド。
【請求項６】
前記１つまたは複数の外部リブは、０．０７５ｍｍから０．１２５ｍｍであり、かつ実質的に一定であるリブ外側高さを備える、請求項１から５のいずれか一項に記載のゴルフクラブヘッド。
【請求項７】
前記１つまたは複数の外部リブは、１．２５ｍｍから６．３５ｍｍである外部リブ幅を備える、請求項１から６のいずれか一項に記載のゴルフクラブヘッド。
【請求項８】
ゴルフクラブヘッドであって、
前端部と、
前記前端部の反対側の後端部と、
ヒール部と、
前記ヒール部の反対側のトウ部と、
ソールと、
前記ソールの反対側のクラウンと、
フェースプレートと、
前記クラウンの一部に位置するリブ付き領域と、を備え、
前記リブ付き領域は、
リブ付き壁であって、
前記ゴルフクラブヘッドの内側に向いているリブ付き壁内側面と、
前記リブ付き壁内側面の反対側で前記ゴルフクラブヘッドの外側に向いているリブ付き壁外側面と、
前記リブ付き壁外側面から前記リブ付き壁内側面までで測定される厚さであって０．５ｍｍ未満である前記厚さと、を備えるリブ付き壁と、
前記リブ付き壁内側面から突出する１つまたは複数の内部リブであって、１つまたは複数の内部リブの少なくとも一部が湾曲し、かつ前記後端部付近から前記前端部付近に向けて延びる、１つまたは複数の内部リブと、
前記１つまたは複数の内部リブの間に位置する１つまたは複数の内部の薄い部分であって、前記リブ付き領域の７５％を超える部分が前記内部の薄い部分を含む、１つまたは複数の内部の薄い部分と、を備える、ゴルフクラブヘッド。
【請求項９】
クラブヘッド縁部から前記リブ付き領域までで測定される後方距離をさらに含み、前記クラブヘッド縁部は、前記ゴルフクラブヘッドの前記ヒール部、前記トウ部、または前記後端部の周辺に沿って画定され、
前記後方距離は、一定であり、
前記後方距離は、１ｍｍから１０ｍｍである、請求項８に記載のゴルフクラブヘッド。
【請求項１０】
前記フェースプレートの上部から前記リブ付き領域までで測定される前方距離をさらに備え、
前記前方距離は、前記ヒール部から前記トウ部まで変化し、前記トウ部および前記ヒール部で最大になり、
前記前方距離は、２５ｍｍから４０ｍｍである、請求項８又は９に記載のゴルフクラブヘッド。
【請求項１１】
前記後端部付近から前記前端部付近に向けて延びる前記１つまたは複数の内部リブの前記少なくとも一部は、互いに交差しない、請求項８から１０のいずれか一項に記載のゴルフクラブヘッド。
【請求項１２】
前記１つまたは複数の内部リブの一部は、前記ヒール部付近から前記トウ部に向けて延び、残りの内部リブは、前記クラブヘッドの前記前端部付近から前記後端部付近まで延び、
前記ヒール部付近から前記トウ部付近に向けて延びる前記１つまたは複数の内部リブの前記一部は、前記後端部付近から前記前端部付近に向けて延びる前記残りの内部リブと交差する、請求項１１に記載のゴルフクラブヘッド。
【請求項１３】
前記１つまたは複数の内部リブは、０．０２５ｍｍから０．２５０ｍｍであり、かつ実質的に一定である内部リブ高さを備える、請求項８から１２のいずれか一項に記載のゴルフクラブヘッド。
【請求項１４】
前記１つまたは複数の内部リブは、１．２５ｍｍから６．３５ｍｍである内部リブ幅を備える、請求項８から１３のいずれか一項に記載のゴルフクラブヘッド。
【請求項１５】
ゴルフクラブヘッドであって、
前端部と、
前記前端部の反対側の後端部と、
ヒール部と、
前記ヒール部の反対側のトウ部と、
ソールと、
前記ソールの反対側のクラウンと、
フェースプレートと、
前記クラウンの一部に位置するリブ付き領域と、を備え、
前記リブ付き領域は、
リブ付き壁であって、
前記ゴルフクラブヘッドの内側に向いているリブ付き壁内側面と、
前記リブ付き壁内側面の反対側で前記ゴルフクラブヘッドの外側に向いているリブ付き壁外側面と、
前記リブ付き壁外側面から前記リブ付き壁内側面に向けて測定される厚さであって０．５ｍｍ未満である前記厚さと、を備えるリブ付き壁と、
前記リブ付き壁外側面から突出する１つまたは複数の外部リブと、
前記リブ付き壁内側面から突出する１つまたは複数の内部リブと、を備え、
前記１つまたは複数の外部リブは湾曲し、かつ前記後端部付近から前記前端部付近に向けて延びており、
前記１つまたは複数の外部リブは互いに交差せず、
前記１つまたは複数の内部リブの少なくとも一部は湾曲しており、かつ前記後端部付近から前記前端部付近に向けて延びており、かつ
前記１つまたは複数の内部リブの前記少なくとも一部は、互いに交差せず、
前記リブ付き領域はさらに、
前記１つまたは複数の外部リブの間に位置する１つまたは複数の外部の薄い部分と、
前記１つまたは複数の内部リブの間に位置する１つまたは複数の内部の薄い部分と、を備え、前記リブ付き領域の７５％を超える部分が前記外部の薄い部分および前記内部の薄い部分を含む、ゴルフクラブヘッド。
【請求項１６】
後方距離は、前記クラブヘッド縁部から前記リブ付き領域までで測定され、前記クラブヘッド縁部は、前記ゴルフクラブヘッドの前記ヒール部、前記トウ部、または前記後端部の周辺に沿って画定され、
前記距離は一定であり、
前記後方距離は、１ｍｍから１０ｍｍである、請求項１５に記載のゴルフクラブヘッド。
【請求項１７】
前記１つまたは複数の内部リブの一部は、前記ヒール部付近から前記トウ部付近に向けて延び、残りの内部リブは、前記クラブヘッドの前記後端部付近から前記前端部付近に向けて延び、
前記ヒール部付近から前記トウ部付近に向けて延びる前記１つまたは複数の内部リブの前記一部は、前記後端部付近から前記前端部付近に向けて延びる前記残りの内部リブと交差する、請求項１５又は１６に記載のゴルフクラブヘッド。
【請求項１８】
前記１つまたは複数の外部リブは、０．０７５ｍｍから０．１３０ｍｍであり、かつ実質的に一定であるリブ外側高さを備え、
前記１つまたは複数の内部リブは、０．０７５ｍｍから０．１３０ｍｍであり、かつ実質的に一定である内部リブ高さを備える、請求項１５から１７のいずれか一項に記載のゴルフクラブヘッド。
【請求項１９】
前記後端部付近から前記前端部付近に向けて延びる前記１つまたは複数の外部リブは、前記ゴルフクラブヘッドを上面から見たとき、前記後端部付近から前記前端部付近に向けて延びる前記内部リブの少なくとも一部と位置合わせされている、請求項１５から１８のいずれか一項に記載のゴルフクラブヘッド。
【請求項２０】
前記１つまたは複数の外部リブの外部リブ軸は、前記フェースプレートの前方の、前記ゴルフクラブヘッドに対して外部にある共通点で互いに交差する、請求項１５から１９のいずれか一項に記載のゴルフクラブヘッド。
【発明の詳細な説明】
【技術分野】
【０００１】
優先権の主張
本出願は、２０１５年８月１２日に出願された米国特許仮出願第６２／２０４，３７３号の利益を主張するものである。上記に挙げられた開示の内容は、参照により本明細書に組み込まれる。
【０００２】
本発明は、一般に、ゴルフ用具に関し、より詳細には、ゴルフクラブヘッドに関する。
【背景技術】
【０００３】
現代のウッドタイプのゴルフクラブヘッドは、現在、そのようなクラブにその名前を与えたパーシモン・ウッドではなく、ほとんど金属のみによって製作されている。これらのクラブヘッドは、概して、ボールの衝撃に耐えるために比較的厚いフェースを使用し、また地面をかすめる衝撃に耐えると共にクラブヘッドの重心を下げるように比較的厚いソールを用いた中空の金属外殻として構成される。クラブヘッドの他の部分は、材料の最大量がフェース部とソール部に供されるように、可能な限り薄く製作される。現代のクラブヘッドのクラウンおよびスカートは非常に薄いが、それらはなお、クラブヘッドのフェースを支持するために、最大応力方向に十分な剛性を有する必要がある。
【０００４】
上記の点を考慮すると、十分な構造的支持をなお提供しつつ、ゴルフクラブの部分を薄くすることに関するさらなる開発が、ゴルフクラブの性能を向上させると考え得る。
【図面の簡単な説明】
【０００５】
【図１】リブ付き領域を備えるゴルフクラブヘッドの一実施形態におけるゴルフクラブヘッドの平面図である。
【０００６】
【図２】図１のゴルフクラブヘッドの底面図である。
【０００７】
【図３】図１のゴルフクラブヘッドの側面図である。
【０００８】
【図４】図１のゴルフクラブヘッドと同様のゴルフクラブヘッドの１つまたは複数のリブ付き領域に適したアイソグリッド・パターンを示す図である。
【０００９】
【図５】ゴルフクラブヘッドのリブ付き領域の横断面図である。
【００１０】
【図６】図５のリブ付き領域の長手方向断面図である。
【００１１】
【図７】別のゴルフクラブヘッドのリブ付き領域の横断面図である。
【００１２】
【図８】図７のリブ付き領域の長手方向断面図である。
【００１３】
【図９】別のゴルフクラブヘッドのリブ付き領域の横断面図である。
【００１４】
【図１０】図９のリブ付き領域の長手方向断面図である。
【００１５】
【図１１】別のゴルフクラブヘッドのリブ付き領域の横断面図である。
【００１６】
【図１２】図１１のリブ付き領域の長手方向断面図である。
【００１７】
【図１３】本開示の例および実施形態におけるゴルフクラブヘッドを提供するための方法のフローチャートである。
【００１８】
【図１４】図１〜図１３のリブ付き領域の１つまたは複数のものと同様のゴルフクラブヘッドのリブ付き領域を形成するために使用される鋳造体の横断面図である。
【００１９】
【図１５】別のゴルフクラブヘッドのリブ付き領域の横断面図である。
【００２０】
【図１６】リブ付き領域を備える例示的なゴルフクラブヘッドの底面断面図である。
【００２１】
【図１７】リブ付き領域を備える例示的なゴルフクラブヘッドの平面図である。
【００２２】
【図１８】リブ付き領域を備える別の例示的なゴルフクラブヘッドの平面図である。
【００２３】
【図１９】図１８の例示的なゴルフクラブヘッドの底面図である。
【００２４】
【図２０】リブ付き領域を備えるゴルフクラブヘッドの別の例の平面図である。
【発明を実施するための形態】
【００２５】
一実施形態では、ゴルフクラブヘッドは、ヒール端部を備えるヒール部と、トウ端部を備えるトウ部と、ソールと、クラウンと、ヒール部、トウ部、ソール、およびクラウンのうちの少なくとも１つの少なくとも一部を備えるリブ付き領域とを備えることができる。リブ付き領域は、ゴルフクラブヘッドの内側を向いているリブ付き壁内側面、およびリブ付き壁内側面の反対側のゴルフクラブヘッドの外側を向いているリブ付き壁外側面を備えるリブ付き壁を備えることができる。また、リブ付き領域は、リブ付き壁から突き出た１つまたは複数のリブであって、第１のリブのリブ中心線に沿って測定された第１のリブ長さと、リブ付き壁内側面に位置し、第１のリブ長さに沿って延びる第１のリブ内側セクションと、リブ付き壁外側面に位置し、第１のリブ内側セクションの反対側の第１のリブ長さに沿って延びる第１のリブ外側セクションと、を備える第１のリブを備える、１つまたは複数のリブを備えることができる。
【００２６】
一例では、ゴルフクラブヘッドを提供するための方法は、ヒール部、トウ部、ソール、およびクラウンを備える本体を提供するステップと、リブ付き壁、およびリブ付き壁から突き出た１つまたは複数のリブを備えるリブ付き領域を提供するステップとを含むことができる。リブ付き領域は、ヒール部、トウ部、ソール、およびクラウンのうちの少なくとも１つの少なくとも一部に位置することができる。リブ付き壁は、ゴルフクラブヘッドの内側を向いているリブ付き壁内側面、およびリブ付き壁内側面の反対側のゴルフクラブヘッドの外側を向いているリブ付き壁外側面を備えることができる。１つまたは複数のリブは、第１のリブのリブ中心線に沿って測定された第１のリブ長さと、リブ付き壁内側面に位置し、第１のリブ長さに沿って延びる第１のリブ内側セクションと、リブ付き壁外側面に位置し、第１のリブ内側セクションの反対側の第１のリブ長さに沿って延びる第１のリブ外側セクションと、を備える第１のリブを備えることができる。
【００２７】
一実施形態では、ゴルフクラブヘッドは、ヒール端部を備えるヒール部と、トウ端部を備えるトウ部と、ソールと、クラウンと、ソールとクラウンの間のスカートと、クラブヘッド前端部でソースまたはクラウンの少なくとも一方に結合されるフェースプレートと、クラウンの少なくとも一部を備えるリブ付き領域と、を備えることができる。リブ付き領域は、ゴルフクラブヘッドの内側に向いているリブ付き壁内側面と、リブ付き壁内側面の反対側のゴルフクラブヘッドの外側を向いているリブ付き壁外側面と、リブ付き壁内側面とリブ付き壁外側面の間で約０．３８ｍｍから約０．７６ｍｍのリブ付き壁厚さと、を備えるリブ付き壁を備えることができる。また、リブ付き領域は、リブ付き壁から突出するリブであって、第１のリブのリブ中心線に沿って測定された第１のリブ長さと、第１のリブ長さの全体に亘って、約０．２５ｍｍから約１．２７ｍｍだけリブ付き壁内側面から突出する第１のリブ内側セクションと、第１のリブ長さの全体を通して、約０．２５ｍｍから約１．２７ｍｍだけリブ付き壁外側面から突出する第１のリブ内側セクションの反対側にある第１のリブ外側セクションと、を備える第１のリブを備えることができる。
【００２８】
他の例および実施形態が、本明細書でさらに開示される。そのような例および実施形態は、図面、特許請求の範囲、および／または本記述で得ることができる。
【００２９】
図１は、ゴルフクラブヘッド２２０の平面図を示す。図２は、ゴルフクラブヘッド２２０の底面図を示す。図３は、ゴルフクラブヘッド２２０の側面図を示す。
【００３０】
ゴルフクラブヘッド２２０は、クラウン２２０１と、ソール２３０４と、ゴルフクラブヘッド２２０の前端部で、ソール２３０４およびクラウン２２０１の少なくとも一方に結合されるフェースプレート２２０５と、を備える。ゴルフクラブヘッド２２０は、本実施例では、クラウン２２０１とソール２３０４の間に位置するスカート２３０５を、さらに有する。ゴルフクラブヘッド２２０は、リブ付き領域２２１０、２３２０、２３３０を備える。リブ付き領域２２１０は、クラウン２２０１の少なくとも一部を含み、リブ付き領域２３２０、２３３０は、ゴルフクラブヘッド２２０のソール２３０４の少なくとも一部を含む。また、リブ付き領域２３２０、２３３０は、本実施例におけるスカート２３０５の少なくとも一部まで延びる。しかしながら、リブ付き領域２３２０および／またはリブ付き領域２３３０は、スカート２３０５まで延びず、ソール２３０４に限定され得る他の例もあり得る。同様に、スカート２３０５は、有っても無くてもよい。
【００３１】
いくつかの実施形態では、ゴルフクラブヘッド２２０は、フェースプレート２２５０からリブ付き領域２２１０まで測定される前方距離２２１０１を含むことができる。前方距離２２１０１は、１２．７ｍｍから７６．４ｍｍであってもよい。他の実施形態では、ゴルフクラブヘッド２２０は、フェースプレート２２５０からリブ付き領域２３２０および／またはリブ付き領域２３３０までで測定される前方距離２３２０１および／または前方距離２３３１０を含むことができる。前方距離２３２０１／２３３１０は、１２．７ｍｍから７６．４ｍｍとすることができる。同様のまたは他の実施形態では、ゴルフクラブヘッド２２０は、クラブヘッド縁部２２０９からリブ付き領域２２１０までで測定される後方距離２２１０２を含むことができる。後方距離２２１０２は、２．５４ｍｍ１２．７ｍｍであってもよい。同様のまたは他の実施形態では、ゴルフクラブヘッド２２０は、クラブヘッド２２０９の縁部からリブ付き領域２３２０および／またはリブ付き領域２３３０までで測定される後方距離２３２０２およびまたは後方距離２３３０２を含むことができる。後方距離２３２０２／２３３０３は、２．５４ｍｍから１２．７ｍｍであってもよい。クラブヘッド縁部２２０９は、ゴルフクラブヘッド２２０の平面図（図１）、および／または底面図（図２）に関して、ゴルフクラブヘッド２２０のヒール部、トウ部、および／または後端部の周辺に沿って画定され得る。
【００３２】
本実施例では、ソール２３０４は、ゴルフクラブヘッド２２０のヒール部２２０３とトウ部２２０２の間に位置するソール厚領域２３０４１を備える。また、ソール２３０４は、ソール厚領域２３０４１とヒール端部２２０３１の間にソール−ヒール領域２３０４３と、またゴルフクラブヘッド２２０のソール厚領域２３０４１とトウ端部２２０２１の間に位置するソール−トウ領域２３０４２と、を備える。ソール厚領域２３０４１は、約０．５ｍｍから約６．３５ｍｍの厚さを有することができ、このような厚さは、実質的に一定にすることができ、あるいは向上させた性能および／または構造的な完全性のためにゴルフクラブヘッド２２０の質量を配置するように、ソール厚領域２３０４１で変化してもよい。リブ付き領域２３２０、２３３０は、ソール厚領域２３０４１の外側に位置し、リブ付き領域２３２０は、ソール−トウ領域２３０４２の少なくとも一部を含み、リブ付き領域２３３０は、ソール−ヒール領域２３０４３の少なくとも一部を含む。しかしながら、ソール２３０４が、ソール−トウ領域２３０４２とソール−ヒール領域２３０４３の間にソール厚領域２３０４１を有していない他の実施形態もあり得る。このような実施形態では、リブ付き領域２３３０、３４０は、互いに対向する方向にさらに延び、かつ／またはソール２３０４において一体化していてもよい。
【００３３】
本実施例において、リブ付き領域２２１０、２３２０、２３３０は、それぞれ、１つまたは複数のリブ２２１１、２３２１、２３３１およびリブ付き壁２２１２、２３２２、２３３２を備える。本実施形態では、リブ付き領域２２１０のリブ付き壁２２１２は、リブ付き領域２２１０の外側のクラウン２２０１の断面厚さよりも薄い。同様に、各リブ付き領域２３２０、２３３０のリブ付き壁２３２２、２３３２は、リブ付き領域２３２０、２３３０の外側のソール厚領域２３０４１およびソール２３０４の他の部分の断面厚さよりも薄い。リブ付き壁２２１２、２３２２、２３３２の低減された厚さにより、各リブ付き領域２２１０、２３２０、および２３３０における質量の低減が可能になり、その場合、このような質量の低減は、望ましい場合に、ゴルフクラブヘッド２２０を軽量化し、かつ／またはゴルフクラブヘッド２２０の合計質量を増加させることなく、性能が向上するように、ゴルフクラブヘッド２２０の他のエリアに対して質量を再配置するために有利であり得る。
【００３４】
１つまたは複数のリブ２２１１、２３２１、２３３１は、各リブ付き領域２２１０、２３２０、２３３０が位置するゴルフクラブヘッド２２０を補強するために配置することができる。リブ２２１１、２３２１、２３３１は、本実施例では、ダイヤモンド−グリッドパターンで配置され、その場合、ダイヤモンド−グリッドパターンの各ダイヤモンドは正方形である。しかし、１つまたは複数のリブ２２１１、２３２１、および／またはリブ２３３１に対して、他の構成も可能である。例えば、一つの構成では、１つまたは複数のダイヤモンドが、長方形、長斜方形もしくは菱形、および／または他のダイヤモンド形状など、正方形とは異なる平行四辺形を備えるダイヤモンド−グリッドパターンを含むことができる。他の構成では、三角形、五角形、六角形、および／または他の多角形を含む１つまたは複数の多角形の形状を含むことができる。さらにいくつかの実施形態では、完全な形状のみが構成内で使用されるが、他の実施形態では、構成の周辺部で、かつ／または構成の他の部分で、その形状の一部が使用される。さらに他の構成は、２つ以上の形状を使用することもできる。一実施形態は、図４で示されるアイソグリッドパターンと同様のパターンを含むことができる。さらに１つまたは複数のリブを湾曲させることができる構成もあり得る。さらに、リブ２２１１、２３２１、２３３１は、複数のリブを含むことができ、リブ付き領域２２１０、２３２０、および／またはリブ付き領域２３３０のリブ２２１１、２３２１、および／またはリブ２３３１が、単一のリブを含むか、または含むように示される実施形態もあり得る。
【００３５】
リブ付き領域は、リブ２２１１、２３２１、および／またはリブ２３３１のうちの１つまたは複数のリブに対応できるリブを備えることができる。
【００３６】
図５は、リブ付き領域２６０の横断面図を示す。図６は、リブ付き領域２６０の長手方向断面図を示す。一例では、リブ付き領域２６０は、リブ付き壁２６５を備え、リブ付き壁２６５は、リブ付き領域２２１０（図１）のリブ付き壁２２１２に、リブ付き領域２３２０（図２）のリブ付き壁２３２２に、かつ／またはリブ付き領域２３３０（図２）のリブ付き壁２３３２に対応していてもよい。リブ付き壁２６５は、互いに反対側にあるリブ付き壁内側面２６５１、およびリブ付き壁外側面２６５２を備え、リブ付き壁内側面２６５１およびリブ付き壁外側面２６５２は、それぞれ、ゴルフクラブヘッド２２０などのゴルフクラブヘッドの内側または外側を向くことができる。
【００３７】
また、リブ付き領域２６０は、リブ付き壁２６５から突出しているリブ２６１を備え、リブ２６１は、リブ付き領域２２１０（図１）の１つまたは複数の２２１１のうちの１つ、リブ付き領域２３２０（図２）の１つまたは複数のリブ２３２１のうちの１つ、および／またはリブ付き領域２３３０（図２）の１つまたは複数のリブ２３３１のうちの１つに対応していてもよい。図６の長手方向断面図に示されるように、リブ２６１は、その端から端までのリブ長さ２７１１３を含む。リブ長さ２７１１３は、リブ２６１のリブ中心線２６１５に沿って延び、リブ中心線２６１５は、リブ付き壁２６５内のリブ２６１の中心に沿って横断する。
【００３８】
本実施例では、リブ２６１は、リブ付き壁内側面２６５１に位置するリブ内側セクション２６１１と、リブ付き壁外側面２６５２に位置するリブ外側セクション２６１２と、を備える。リブ内側セクション２６１１は、リブ内側高さ２６１１１、およびリブ内側幅２６１１２を備え、リブ中心線２６１５に平行に、リブ外側セクション２６１２５に沿って延びる。リブ外側セクション２６１２は、リブ外側高さ２６１２１、およびリブ内側幅２６１２２を備え、リブ中心線２６１５に平行なリブ内側セクション中心線２６１１５に沿って延びる。このように、リブ内側セクション２６１１およびリブ外側セクション２６１２は、リブ中心線２６１５と位置合わせされる。
【００３９】
リブ２６１５はリブ中心面２６１６を備える。リブ中心面２６１６は、リブ付き壁２６５に実質的に直交し、リブ中心線２６１５に沿って延びる。本実施例では、リブ内側セクション２６１１、およびリブ外側セクション２６１２は、互いに同一直線上にあり、リブ外側セクション中心線２６１２５およびリブ内側セクション中心線２６１１５は、共に、リブ中心面２６１６に沿って延びる。
【００４０】
しかしながら、リブのリブ内側セクションおよび外側セクションが同一直線上にあるのではなく、互いにオフセットされる他の例があり得る。図１５へと飛ぶと、リブ付き領域３６０の横断面図が示されている。リブ付き領域３６０は、リブ２６１またはリブ付き領域２６０（図１）と同様であり得るリブ３６１を備える。リブ３６１は、リブ中心線２６１５に沿って延びるリブ中心面２６１６を備える。また、リブ３６１は、リブ中心線２６１５に平行なリブ外側セクション中心線３６１２５に沿って延びるリブ外側セクション３６１２と、リブ中心線２６１５に平行なリブ内側セクション中心線３６１１５に沿って延びるリブ内側セクション３６１１と、を備える。リブ外側セクション３６１２およびリブ内側セクション３６１１は共に、リブ中心面２６１６によって横断されるが、リブ外側セクション中心線３６１２５およびリブ内側セクション中心線３６１１５は、リブ中心線２６１５からオフセットされている。本実施例では、リブ中心線２６１６に直交して測定されるリブ外側セクション中心線３６１２５とリブ内側セクション中心線３６１１５との間のオフセット距離３６１９は、最長で５．０８ｍｍであってもよい。
【００４１】
図１の例に戻ると、リブ内側セクション２６１１およびリブ外側セクション２６１２のそれぞれは、実質的に一定に、リブ長さ２７１１３に沿って延びることができ、リブ内側セクション２６１１は、リブ長さ２７１１３の全体を通して、リブ付き壁内側面２６５１から突出し、リブ外側セクション２６１２は、リブ長さ２７１１３の全体を通して、リブ付き壁外側面２６５２から突出し、リブ内側高さ２６１１１およびリブ外側高さ２６１２１は、リブ長さ２７１１３の大部分に沿って、実質的に一定で維持される。しかしながら、リブ内側高さ２６１１１および／またはリブ外側高さ２６１２１が、リブ長さ２７１１３に沿って変化される他の例もあり得る。同様に、リブ内側幅２６１１２および／またはリブ外側幅２６１２２が、リブ長さ２７１１３に沿って変化される他の例があり得る。
【００４２】
リブ付き壁２６５は、リブ付き壁内側面２６５１とリブ付き壁外側面２６５２との間のリブ付き壁厚さ２６５５を備え、リブ付き壁厚さ２６５５は、本実施形態では、約０．３８ｍｍから約０．７６ｍｍであるが、同様のまたは他の実施形態では、約０．１３ｍｍから約１．２７ｍｍであってもよい。同様のまたは他の実施形態では、リブ２６１のリブ内側高さ２６１１１および／またはリブ外側高さ２６１２１は、最長で約２．５ｍｍであってもよい。例えば、リブ２６１のリブ内側高さ２６１１１および／またはリブ外側高さ２６１２１は、いくつかの実装形態では、約０．２５ｍｍから約１．２７ｍｍであってもよい。同様のまたは他の実施形態では、リブ２６１のリブ内側幅２６１１２および／またはリブ外側幅２６１２２は、最長で、約５．１ｍｍであってもよい。例えば、リブ２６１のリブ内側幅２６１１２および／またはリブ外側幅２６１２２は、いくつかの実装形態では、約０．３８ｍｍから約３．８１ｍｍであってもよい。
【００４３】
図７は、リブ付き領域２８０の横断面図を示す。図８は、リブ付き領域２８０の長手方向断面図を示す。リブ付き領域２８０はリブ付き壁２６５を備える。また、リブ付き領域２８０は、リブ付き壁２６５から突き出たリブ２８１を備え、リブ２８１は、リブ付き領域２２１０（図１）の１つまたは複数のリブ２２１１の１つに、リブ付き領域２３２０（図２）の１つまたは、１つまたは複数のリブ２３２１に、かつ／またはリブ付き領域２３３０（図２）の１つまたは複数のリブ２３３１の１つに対応していてもよい。本実施例では、リブ２８１は、リブ付き壁内側面２６５１に位置するリブ内側セクション２６１１と、リブ付き壁外側面２６５２に位置するリブ外側セクション２８１２と、を備える。
【００４４】
リブ２８１は、多くの点でリブ２６１と同様であり得るが、リブの内側高さおよび外側高さに関して異なることができる。いくつかの例では、リブ２６１のリブ内側高さ２６１１１およびリブ外側高さ２６１２１は、互いに実質的に等しいが、リブ２８１に対する対応する高さは、互いに異なることができる。例えば、リブ２８１のリブ内側セクション２６１１は、リブ内側高さ２６１１１を含むが、リブ外側セクション２８１２は、リブ外側高さ２８１２１を含み、リブ内側セクション２６１１のリブ内側高さ２６１１１は、リブ外側セクション２８１２のリブ外側高さ２８１２１よりも大きい。リブ外側高さ２８１２１は、約０．５１ｍｍとすることができ、またリブ内側高さ２６１１１は、本実施例では、０．７６ｍｍよりも大きくすることができるが、リブ外側高さ２８１２１を約０．２５ｍｍから約０．７６ｍｍとすることのできる実施形態もあり得る。リブ２８１の他の特徴は、前述のリブ２６１の対応する特徴と同様にすることができる。例えば、リブ２８１は、リブ中心線２６１５と位置合わせされ、かつ実質的に一定にリブ長さ２７１１３に沿って延び、ここで、リブ内側セクション２６１１は、リブ長さ２７１１３の全体を通してリブ付き壁内側面２６５１から突き出し、リブ外側セクション２８１２は、リブ長さ２７１１３の全体を通してリブ付き壁外側面２６５２から突き出し、リブ内側高さ２６１１１およびリブ外側高さ２８１２１は、リブ長さ２７１１３の大部分に沿って実質的に一定に維持される。しかしながら、リブ内側高さ２６１１１および／またはリブ外側高さ２８１２１が、リブ長さ２７１１３に沿って変化される他の例もあり得る。同様に、リブ内側幅２６１１２および／またはリブ外側幅２６１２２が、リブ長さ２７１１３に沿って変化される他の例もあり得る。
【００４５】
図９は、リブ付き領域３００の横断面図を示す。図１０は、リブ付き領域３００の長手方向断面図を示す。リブ付き領域３００はリブ付き壁２６５を含む。また、リブ付き領域３００は、リブ付き壁２６５から突出するリブ３０１を備え。リブ３０１は、リブ付き領域２２１０（図１）の１つまたは複数のリブ２２１１の１つに、リブ付き領域２３２０（図２）の１つまたは複数のリブ２３２１に、かつ／またはリブ付き領域２３３０（図２）の１つまたは複数のリブ２３３１の１つに対応していてもよい。本実施例では、リブ３０１は、リブ付き壁内側面２６５１に位置するリブ内側セクション３０１１と、リブ付き壁外側面２６５２に位置するリブ外側セクション２６１２と、を備える。
【００４６】
リブ３０１は、多くの点で、リブ２６１（図５〜図６）、およびリブ２８１（図７〜図８）と同様であり得るが、リブの内側高さおよび外側高さに関して異なり得る。本実施例では、リブ３０１のリブ内側セクション３０１１はリブ内側高さ３０１１１を含み、リブ外側セクション２６１２はリブ外側高さ２６１２１を含み、リブ外側セクション２６１２のリブ外側高さ２６１２１は、リブ内側セクション３０１１のリブ内側高さ３０１１１よりも大きい。
【００４７】
リブ内側高さ３０１１１は、約０．５１ｍｍであってもよく、またリブ外側高さ２６１２１は、本実施例では、０．７６ｍｍを超えていてもよく、リブ内側高さ３０１１１を約０．２５ｍｍから約０．７６ｍｍとする実施形態もあり得る。
【００４８】
リブ３０１の他の特徴は、成就したリブ２６１および／またはリブ２８１の対応する特徴と同様であってもよい。例えば、リブ３０１は、リブ中心線２６１５と位置合わせされ、実質的に一定にリブ長さ２７１１３に沿って延びる。リブ内側セクション３０１１は、リブ長さ２７１１３の全体に亘って、リブ付き壁内側面２６５１から突出し、リブ外側セクション２６１２は、リブ長さ２７１１３の全体に亘って、リブ付き壁外側面２６５２から突出し、またリブ内側高さ３０１１１およびリブ外側高さ２６１２１は、リブ長さ２７１１３の大部分に沿って実質的に一定に維持される。しかしながら、リブ内側高さ３０１１１および／またはリブ外側高さ２６１２１が、リブ長さ２７１１３に沿って変化される他の例もあり得る。同様に、リブ内側幅２６１１２および／またはリブ外側幅２６１２２が、リブ長さ２７１１３に沿って変化される他の例もあり得る。
【００４９】
図１１は、リブ付き領域３２０の横断面図を示しており、リブ付き領域３２０は、リブ付き壁２６５から突き出たリブ３２１を備え、リブ３２１は、リブ付き領域２２１０（図１）の１つまたは複数のリブ２２１１の１つに、リブ付き領域２３２０（図２）の１つまたは、１つまたは複数のリブ２３２１に、かつ／またはリブ付き領域２３３０（図２）の１つまたは複数のリブ２３３１の１つに対応していてもよい。本実施例では、リブ３２１は、リブ付き壁内側面２６５１に位置するリブ内側セクション３２１１と、リブ付き壁外側面２６５２に位置するリブ外側セクション３２１２と、を備える。
【００５０】
リブ３０１は、多くの点で、リブ２６１、リブ２８１、および／またはリブ３０１と同様のものとすることができるが、リブ内側および外側の高さおよび／または幅に関して異なっていてもよい。本実施例では、リブ３２１のリブ内側セクション３２１１は、リブ内側高さ３２１１１およびリブ内側幅３２１１２を含み、リブ外側セクション３２１２は、リブ外側高さ３２１２１およびリブ外側幅３２１２２を含む。いくつかの例では、リブ内側高さ３２１１１は、リブ内側高さ２６１１１またはリブ内側高さ３０１１１に対するものと同様の高さ範囲を含んでいてもよく、一方、リブ外側高さ３２１２１は、リブ外側高さ２６１２１またはリブ外側高さ２８１２１に対するものと同様の高さ範囲を含んでいてもよい。同様のまたは他の例では、リブ内側幅３２１１２は、リブ内側幅２６１１２に対するものと同様の、またはそれよりも小さい幅範囲を含んでいてもよく、一方、リブ外側幅３２１２２は、リブ外側幅２６１２２に対するものと同様の、またはそれよりも大きい幅範囲を含んでいてもよい。
【００５１】
図１１で示されるように、リブ外側セクション３２１２のリブ外側高さ３２１２１は、リブ内側セクション３２１１のリブ内側高さ３２１１１よりも大きくてもよい。さらに、リブ内側セクション３２１１のリブ内側幅３２１１２は、リブ外側セクション３２１２のリブ外側幅３２１２２よりも大きくてもよい。例えば、リブ内側幅３２１１２は、約０．７６ｍｍから約１．９ｍｍであってもよく、リブ外側幅３２１２２は、０．７６ｍｍ未満であってもよい。
【００５２】
また、異なるリブ高さまたはリブ幅の構成を有する例もあり得る。例えば、一実施形態では、リブ外側セクション３２１２におけるリブ外側幅３２１２２は、代わりに、リブ内側セクション３２１１におけるリブ内側幅３２１１２よりも大きくてもよい。例えば、リブ外側幅３２１２２は、約０．７６ｍｍから約１．９ｍｍであってもよく、一方において、リブ内側幅３２１１２は、０．７６ｍｍ未満であってもよい。同様の、または他の実施形態では、リブ内側セクション３２１１におけるリブ内側高さ３０１１１は、代わりに、リブ外側セクション３２１２におけるリブ外側高さ３２１２１よりも大きくてもよい。
【００５３】
本実施形態では、リブ３０１は、リブ中心線２６１５と位置合わせされ、かつ図１２に示されるように変化しながら、リブ長さ２７１１３に沿って延びる。内側リブ高さ３２１１１および外側リブ高さ３２１２１のそれぞれは、リブ長さ２７１１３に沿って変化する。しかしながら、内側リブ高さ３２１１１または外側リブ高さ３２１２１の一方だけがリブ長さ２７１１３に沿って変化する実施形態もあり得る。あるいは、リブ３０１が、リブ２６１、リブ２８１、および／またはリブ３０１に関して上述したように、実質的に一定にリブ長さ２７１１３に沿って延びる実施形態もあり得る。
【００５４】
図１６〜図１９で示されるように、ゴルフクラブヘッド２２０の別の実施形態では、リブ付き領域２２１０は、クラウン２２０１の一部に位置し、かつリブ付き壁２２１２を備えることができる。リブ付き壁２２１２は、リブ付き壁内側面２２５、およびリブ付き壁内側面２２５の反対側のリブ付き壁外側面２２４から測定され、かつそれらを備える。リブ付き壁は、０．８ｍｍ未満、０．７ｍｍ未満、０．６ｍｍ未満、０．５ｍｍ未満、０．４ｍｍ未満、あるいは０．３ｍｍ未満である。リブ付き壁内側面２２５は、ゴルフクラブヘッド２２０の内側を向いており、また、リブ付き壁外側面２２４は、ゴルフクラブヘッド２２０の外側を向いている。リブ付き領域２２１０は、リブ付き壁外側面２２４から突出する１つまたは複数の外部リブ２２２と、リブ付き壁内側面２２５から突出する１つまたは複数の内部リブ２２３と、をさらに備える。１つまたは複数の外部リブ２２２および１つまたは複数の内部リブ２２３は、ゴルフクラブヘッド２２０への構造的な支持を提供する。１つまたは複数の外部リブ２２２および１つまたは複数の内部リブ２２３は、ゴルフクラブヘッド２２０の重量の低減をもたらすことができる外部の薄い部分２２８と内部の薄い部分２２９とを形成する。さらに１つまたは複数の内部リブ２２３は、ゴルフクラブヘッド２２０の鋳造能力を向上させることができる。
【００５５】
ゴルフクラブヘッド２２０は、フェースプレート２２５０の上部からリブ付き領域２２１０までで測定される前方距離２２１０１と、クラブヘッド縁部２２０９からリブ付き領域２２１０までで測定される後方距離２２１０２と、をさらに備えることができる。クラブヘッド縁部２２０９は、ゴルフクラブヘッド２２０の平面図（図１）、および／または底面図（図２）に関して、ゴルフクラブヘッド２２０のヒール部２２０３、トウ部２２０２、および／または後端部２３４の周辺に沿って画定することができる。リブ付き領域２２１０の前方距離２２１０１および後方距離２２１０２は、１つまたは複数の外部リブ２２２／内部リブ２２３から、１つまたは複数の外部リブ２２２／内部リブ２２３の連続するリブまで一定であってもよい。他の例では、リブ付き領域２２１０の距離２２１０１および距離２２１０２は、ヒール部からトウ部で変化してもよい。例えば、トウ部２２０２に最も近い１つまたは複数の外部リブ２２２は、残りの１つまたは複数の外部リブ２２２よりも大きな後方距離２２１０２を有することができる。前方距離２２１０１は、１０ｍｍから４０ｍｍ、１０ｍｍから２０ｍｍ、２０ｍｍから３０ｍｍ、または３０ｍｍから４０ｍｍ（例えば、１０ｍｍ、１４ｍｍ、１８ｍｍ、２２ｍｍ、２６ｍｍ、３０ｍｍ、３４ｍｍ、３８ｍｍ、または４０ｍｍ）の範囲であってもよい。他の例では、前方距離２２１０１は、１２．７ｍｍから７６．４ｍｍ、１２．７から２５ｍｍ、２５ｍｍから４０ｍｍ、４０ｍｍから５５ｍｍ、５５ｍｍから７０ｍｍ、または７０ｍｍから７６．４ｍｍの範囲とすることができる。例えば、距離２２１０１は、１２．７ｍｍ、２０ｍｍ、３０ｍｍ、４０ｍｍ、５０ｍｍ、６０ｍｍ、または７６．４ｍｍであってもよい。リブの後方距離２２１０２は、１ｍｍから２６ｍｍ、１ｍｍから１０ｍｍ、５ｍｍから１５ｍｍ、１０ｍｍから１８ｍｍ、または１８ｍｍから２６ｍｍ（例えば、最長で１ｍｍ、最長で４ｍｍ、最長で８ｍｍ、最長で１２ｍｍ、最長で１６ｍｍ、最長で２０ｍｍ、最長で２４ｍｍ、または最長で２６ｍｍ）の範囲であってもよい。
【００５６】
リブ付き領域２２１０は、１本以上のリブ、２本以上のリブ、３本以上のリブ、４本以上のリブ、５本以上のリブ、６本以上のリブ、７本以上のリブ、８本以上のリブ、９本以上のリブ、１０本以上のリブ、または任意の他の数の外部リブ２２２など、１つまたは複数の外部リブ２２２を複数備えることができる。１つまたは複数の外部リブ２２２は、フェースプレート２２５０に対して実質的に直角であってもよいが、１つまたは複数の外部リブ２２２は、フェースプレート２２５０に対して角度を付けて配置されていてもよい。１つまたは複数の外部リブ２２２は、第１の外部リブ端点２４２と、第１の外部リブ端点２４２の反対側の第２の外部リブ端点２４４と、を備える。１つまたは複数の外部リブ２２２は、互いに交差する、または交差しない。さらに、１つまたは複数の外部リブ軸２４０は、第１の外部リブ端点２４２、および第２の外部リブ端点２４４と交差する。いくつかの例では、外部リブ軸２４０は、ゴルフクラブヘッド２２０内で、またはフェースプレート２２５０の前方のゴルフクラブヘッド２２０の外部で、共通点２４１へと交差する。他の例では、ゴルフクラブヘッド２２０の平面図に関して、図２０で示されるように、外部リブ軸２４０は互いに交差し、円錐断面の外周２５１により画定される軌跡２５０に対して接する。他の例では、ゴルフクラブヘッド２２０の平面図に関して、外部リブ軸２４０の一部が交差することができ、円錐断面の外周２５１により画定される軌跡２５０に接する。
【００５７】
１つまたは複数の外部リブ２２２は、リブ外側高さ２６１２１、２８１２１、および３２１２１と同様のリブ外側高さと、外部リブ幅２２６と、をさらに備える。リブ外側高さは、０．０７５ｍｍから０．４００ｍｍ、０．０７５ｍｍから０．１２５ｍｍ、０．１２５から０．１７５ｍｍ、０．２５０ｍｍから０．３２５ｍｍ、または０．３２５ｍｍから０．４００ｍｍの範囲であってもよい。例えば、リブ外側高さは、０．０７５ｍｍ、０．１７５ｍｍ、０．２２５ｍｍ、０．３５０ｍｍ、または０．４００ｍｍであってもよい。リブ外側高さのそれぞれは、他のリブ外側高さのそれぞれと等しくてもよい。他の例では、リブ外側高さは、他のリブ外側高さとは異っていてもよい。第１の外部リブ端点２４２から第２の外部リブ端点２４４に向けて延びるリブ外側高さは、一定に維持され得る。他の例では、第１の外部リブ端点２４２から第２の外部リブ端点２４４に向けて延びるリブ外側高さは、増加させるか、減少させるか、あるいは、それらの任意の組合せにより変化していてもよい。１つまたは複数の外部リブ２２２は、ゴルフクラブヘッド２２０の外部リブ２２２の間に配置される１つまたは複数の外部の薄い部分２２８を画定する。
【００５８】
外部リブ幅２２６は、１．２５ｍｍから６．３５ｍｍ、１．２５ｍｍから２．３５ｍｍ、２．３５ｍｍから３．３５ｍｍ、３．３５ｍｍから４．３５ｍｍ、４．３５ｍｍから５．３５ｍｍ、または５．３５ｍｍから６．３５ｍｍの範囲であってもよい。例えば、外部リブ幅２２６は、１．２５ｍｍ、１．７５ｍｍ、２．５０ｍｍ、３．２５ｍｍ、４．００ｍｍ、４．７５ｍｍ、５．２５ｍｍ、または６．３５ｍｍであってもよい。外部リブ幅２２６のそれぞれは、他の外部リブ幅２２６のそれぞれに等しくてもよい。他の例では、外部リブ幅２２６は、他の外部リブ幅２２６とは異なっていてもよい。第１の外部リブ端点２４２から第２の外部リブ端点２４４に向けて延びる外部リブ幅は、一定であってもよい。他の例では、第１の外部リブ端点２４２から第２の外部リブ端点２４４に向けて延びる外部リブ幅２２６は、増加させるか、減少させるか、またはそれらの任意の組合せにより変化してもよい。
【００５９】
１つまたは複数の外部リブ２２２は、まっすぐの、湾曲した、または任意の他の形状を含む任意の形状を有していてもよい。１つまたは複数の外部リブ２２２が湾曲している例では、１つまたは複数の外部リブ２２２は、同じ方向に、または異なる方向に湾曲していてもよい。１つまたは複数の外部リブ２２２は、同じ、または異なる曲率半径を有していてもよい。１つまたは複数の外部リブ２２２の曲率半径は、前端部２３２付近から後端部２３４付近に向けて移動するとき、次第に増加していてもよく、あるいは外部リブ２２２の曲率半径は、ゴルフクラブヘッド２２０の前端部２３２付近から後端部２３４付近に向けて移動したとき、次第に減少していてもよい。１つまたは複数の外部リブ２２２は、ゴルフクラブヘッド２２０のフェースプレート２２５０に対して、凹形もしくは凸形であってもよい。外部リブ２２２は、ゴルフクラブヘッド２２０のソール２３０４に対して、さらに凹形もしくは凸形であってもよい。１つまたは複数の外部リブ２２２は、リブ２２１１、２３２１、２３３１に対して少なくとも段落［００２９］で説明されるパターンと同様の任意のパターンで構成することができる（例えば、三角形、長方形、五角形、六角形など）。
【００６０】
リブ付き領域２２１０の１つまたは複数の内部リブ２２３は、１本以上のリブ、２本以上のリブ、３本以上のリブ、４本以上のリブ、５本以上のリブ、６本以上のリブ、７本以上のリブ、８本以上のリブ、９本以上のリブ、１０本以上のリブ、または任意の他の数の内部リブ２２３など、複数の内部リブを備えることができる。１つまたは複数の内部リブ２２３は、フェースプレート２２５０に対して実質的に直角であるか、フェースプレート２２５０に対して実質的に平行であるか、またはフェースプレート２２５０に対して角度を付けて配置されていてもよい。１つまたは複数の内部リブ２２３は、第１の内部リブ端点２４３と、第１の内部リブ端点２４３の反対側の第２の内部リブ端点２４５と、を備える。内部リブ軸２４６は、第１の内部リブ端点２４３および第２の内部リブ端点２４５と交差する。いくつかの実施形態では、１つまたは複数の内部リブ２２３は、後端部２３４付近から前端部２３２付近に向けて延びていてもよい。さらに、後端部２３４付近から前端部２３２付近に向けて延びる１つまたは複数の内部リブ２２３は互いに交差してもよく、または交差しなくてもよい。他の実施形態では、１つまたは複数の内部リブ２２３は、ヒール部２２０３付近からトウ部２２０２付近に向けて延びていてもよい。さらに、ヒール部２２０３付近からトウ部２２０２付近に向けて延びる１つまたは複数の内部リブ２２３は、互いに交差してもよく、交差しなくてもよい。いくつかの実施形態では、１つまたは複数の内部リブ２２３は、ゴルフクラブヘッドを上面から見たとき、１つまたは複数の外部リブ２２２と位置合わせされ得る。内部リブ軸２４６および外部リブ軸２４０はまた、ゴルフクラブヘッド２２０を上面から見たとき、位置合わせされる。
【００６１】
後端部２３４付近から前端部２３２付近に向けて延びる１つまたは複数の内部リブ２２３の少なくとも一部（例えば、１本のリブ、２本のリブ、３本のリブ、４本のリブ、５本のリブ、６本のリブ、７本のリブ、８本のリブ、９本のリブ、または１０本のリブ）が存在し得る。同様に、ヒール部２２０３付近からトウ部２２０２付近に向けて延びる１つまたは複数の内部リブ２２３の一部（例えば、１本のリブ、２本のリブ、３本のリブ、４本のリブ、５本のリブ、６本のリブ、７本のリブ、８本のリブ、９本のリブ、または１０本のリブ）が存在し得る。いくつかの実施形態では、後端部２３４から前端部２３２付近に向けて延びる残りの内部リブと交差するヒール部２２０３付近からトウ部２２０２付近に向けて延びる１つまたは複数の内部リブ２２３の一部の任意の組合せがあり得る。例えば、リブ付き領域２２１０は、ヒール部２２０３付近からトウ端部２２０２付近に向けて延びる２つの内部リブ２２３と交差する、後端部２３４付近から前端部２３２付近に向けて延びる６本の内部リブ２２３を備える。
【００６２】
１つまたは複数の内部リブ２２３は、内部リブ高さおよび内部リブ幅２２７を含む。内部リブ高さは、０．０２５ｍｍから０．２５０ｍｍ、０．０２５ｍｍから０．０５０ｍｍ、０．０５０ｍｍから０．１００ｍｍ、０．１００ｍｍから０．１５０ｍｍ、０．１５０ｍｍから０．２００ｍｍ、または０．２００ｍｍから０．２５０ｍｍの範囲であってもよい。例えば、内部リブ高さは、０．０２５ｍｍ、０．０６０ｍｍ、０．０９０ｍｍ、０．１２０ｍｍ、０．１４０ｍｍ、０．１８０ｍｍ、０．２１０ｍｍ、または０．２２５ｍｍであってもよい。内部リブ高さのそれぞれは、他の内部リブ高さのそれぞれと等しくてもよい。他の例では、内部リブ高さは、他の内部リブ高さとは異っていてもよい。第１の内部リブ端点２４３から第２の内部リブ端点２４５に向けて延びる内部リブ高さは、一定で維持されていていてもよい。他の例では、第１の内部リブ端点２４３から第２の内部リブ端点２４５に向けて延びる内部リブ高さは、増加させるか、減少させるか、またはそれらの任意の組合せにより変化してもよい。１つまたは複数の内部リブ２２３は、ゴルフクラブヘッド２２０の内部リブ２２３の間に配置された１つまたは複数の内部の薄い部分２２９を画定する。
【００６３】
内部リブ幅２２７は、１．２５ｍｍから６．３５ｍｍ、１．２５ｍｍから２．３５ｍｍ、２．３５ｍｍから３．３５ｍｍ、３．３５ｍｍから４．３５ｍｍ、４．３５ｍｍから５．３５ｍｍ、または５．３５ｍｍから６．３５ｍｍの範囲であってもよい。例えば、内部リブ幅２２７は、１．２５ｍｍ、１．７５ｍｍ、２．５０ｍｍ、３．２５ｍｍ、４．００ｍｍ、４．７５ｍｍ、５．２５ｍｍ、または６．３５ｍｍであってもよい。内部リブ幅２２７のそれぞれは、他の内部リブ幅２２７のそれぞれと等しくてもよい。他の例では、内部リブ幅２２７は、他の内部リブ幅２２７と異なっていてもよい。第１の内部リブ端点２４３から第２の内部リブ端点２４５に向けて延びる内部リブ幅２２７は、一定で維持されていてもよい。他の例では、第１の内部リブ端点２４３から第２の内部リブ端点２４５に向けて延びる内部リブ幅２２７は、増加させるか、減少させるか、またはそれらの任意の組合せにより変化してもよい。
【００６４】
１つまたは複数の内部リブ２２３は、１つまたは複数の外部リブ２２２と同じ形状および／または構成を有していてもよく、あるいは、１つまたは複数の内部リブ２２３は、１つまたは複数の外部リブ２２２とは異なる形状および／または構成を有していてもよい。１つまたは複数の内部リブ２２３は、湾曲した、まっすぐな、または任意の他の形状を含む任意の形状を有することができる。１つまたは複数の内部リブ２２３が湾曲している例では、１つまたは複数の内部リブ２２３が、同じ、または異なる方向に湾曲することができる。さらに、１つまたは複数の内部リブ２２３は、同じ、または異なる曲率半径を有していてもよい。後端部２３４付近から前端部２３２付近に向けて延びる１つまたは複数の内部リブ２２３の曲率半径は、ゴルフクラブヘッド２２０の前端部２３２付近から、後端部２３４付近に向けて移動するとき、次第に減少する、かつ／または増加していてもよい。ヒール部２２０３付近からトウ部２２０２付近に向けて延びる内部リブ２２３の曲率半径は、ゴルフクラブヘッド２２０のヒール部２２０３付近からトウ部２２０２付近に向けて移動するとき、次第に減少していてもよく、かつ／または増加していてもよい。さらに、連続する内部リブ２２３に対する１つの内部リブ２２３の曲率半径は、次第に増加するか、減少するか、または一定で維持されていてもよい。内部リブ２２３は、ゴルフクラブヘッド２２０のフェースプレート２２５０に対して、凹形もしくは凸形であってもよい。内部リブ２２３は、ゴルフクラブヘッド２２０のソール２３０４に対して、さらに凹形もしくは凸形であってもよい。内部リブ２２３は、リブ２２１１、２３２１、２３３１に対して少なくとも段落［００２９］で説明されるパターンと同様の任意のパターンで構成することができる（例えば、三角形、長方形、五角形、六角形など）。
【００６５】
１つまたは複数の外部の薄い部分２２８、および１つまたは複数の内部の薄い部分２２９は、ゴルフクラブヘッド２２０の自由裁量の重量を増加させる。追加される自由裁量の重量は、性能特性を高めるために、ゴルフクラブヘッド２２０の重量構造内、あるいは、内側または外側のクラブヘッド縁部２２０９内に位置することができる。
【００６６】
リブ付き領域２２１０の１つまたは複数の外部の薄い部分２２８は、１個の外部の薄い部分、２個の外部の薄い部分、３個の外部の薄い部分、４個の外部の薄い部分、５個の外部の薄い部分、６個の外部の薄い部分、７個の外部の薄い部分、８個の外部の薄い部分、９個の外部の薄い部分、１０個の外部の薄い部分、または任意の他の数の外部の薄い部分など、任意の数の外部の薄い部分を含んでいてもよい。同様に、リブ付き領域２２１０の１つまたは複数の内部の薄い部分２２９は、１個の内部の薄い部分、２個の内部の薄い部分、３個の内部の薄い部分、４個の内部の薄い部分、５個の内部の薄い部分、６個の内部の薄い部分、７個の内部の薄い部分、８個の内部の薄い部分、９個の内部の薄い部分、１０個の内部の薄い部分、または任意の他の数の内部の薄い部分など、任意の数の内部の薄い部分を含んでいてもよい。
【００６７】
１つまたは複数の外部の薄い部分２２８は、リブ付き領域２２１０のリブ付き壁外側面２２４の５１％を超える部分が、外部の薄い部分２２８を含むように、リブ付き領域２２１０のリブ付き壁外側面２２４上に位置することができる。他の例では、１つまたは複数の外部の薄い部分２２８は、リブ付き領域２２１０のリブ付き壁外側面２２４の２０％を超える、２５％を超える、３０％を超える、３５％を超える、４０％を超える、４５％を超える、５０％を超える、５５％を超える、６０％を超える、６５％を超える、７０％を超える、７５％を超える、８０％を超える、または８５％を超える部分が１つまたは複数の外部の薄い部分２２８を含むように、リブ付き領域２２１０のリブ付き壁外側面２２４上に位置することができる。例えば、リブ付き領域２２１０のリブ付き壁外側面２２４の４０％から５０％、５０％から６０％、６０％から７０％、または７０％から８５％が、外部の薄い部分２２８を含んできてもよい。他の例では、リブ付き領域２２１０のリブ付き壁外側面２２４の３５％から６５％、３０％から７０％、５０％から７０％、または２５％から７５％が、外部の薄い部分２２８を含んでいてもよい。
【００６８】
１つまたは複数の内部の薄い部分２２９は、リブ付き領域２２１０のリブ付き壁内側面２２５の２０％を超える、２５％を超える、３０％を超える、３５％を超える、４０％を超える、４５％を超える、５０％を超える、５５％を超える、６０％を超える、６５％を超える、７０％を超える、７５％を超える、８０％を超える、または８５％を超える部分が１つまたは複数の内部の薄い部分２２９を備えるように、リブ付き領域２２１０のリブ付き壁内側面２２５に位置してもよい。いくつかの例では、クラウン２２０１のリブ付き壁内側面２２５の３５％から６５％、４０％から６０％、３０％から７０％、または２５％から７５％が、内部の薄い部分２２９を含んでいてもよい。いくつかの実施形態では、リブ付き領域２２１０のリブ付き壁外側面２２４に位置する１つまたは複数の外部の薄い部分２２８と、リブ付き領域２２１０１のリブ付き壁内側面２２５に位置する１つまたは複数の内部の薄い部分２２９とは、ゴルフクラブヘッド２２０を上面から見たとき、位置合わせされ得る。
【００６９】
１つまたは複数の外部の薄い部分２２８は、厚さを備える。１つまたは複数の外部リブ２２２だけを備えるリブ付き領域２２１０を有する実施形態では、厚さは、リブ付き壁内側面２２５からリブ付き壁外側面２２４までで測定される。１つまたは複数の外部リブ２２２および１つまたは複数の内部リブ２２３を共に備えるリブ付き領域２２１０を有する実施形態では、厚さは、内側面２２５／１つまたは複数の内部リブ２２３の上部から、リブ付き壁外側面２２４までで測定される。多くの例では、１つまたは複数の外部の薄い部分２２８の厚さは、０．５５ｍｍ未満である。他の例では、１つまたは複数の外部の薄い部分２２８は、１．１５ｍｍ未満、１．００ｍｍ未満、０．８０ｍｍ未満、０．６０ｍｍ未満、０．４０ｍｍ未満、または０．２０ｍｍ未満の厚さを備えていてもよい。例えば、外部の薄い部分２２８は、０．２０ｍｍから０．４０ｍｍ、０．４０ｍｍから０．６０ｍｍ、０．４５ｍｍから０．７０ｍｍ、０．６０ｍｍから０．８０ｍｍ、または０．８０ｍｍから１．１５ｍｍの間の厚さを備えていてもよい。いくつかの例では、１つまたは複数の外部の薄い部分２２８の厚さは、０．４３ｍｍである。
【００７０】
同様に、１つまたは複数の内部の薄い部分２２９は、厚さを備える。リブ付き領域が１つまたは複数の内部リブ２２３だけを備える２２１０実施形態では、厚さは、リブ付き壁外側面２２４からリブ付き壁内側面２２５までで測定される。１つまたは複数の外部リブ２２２と１つまたは複数の内部リブ２２３を共に備えるリブ付き領域２２１０を有する実施形態では、厚さは、外側面２２４／１つまたは複数の外部リブ２２２の上部から、リブ付き壁内側面２２５までで測定される。多くの例では、１つまたは複数の内部の薄い部分２２９の厚さは、０．５５ｍｍ未満である。他の例では、１つまたは複数の内部の薄い部分２２９は、１．１５ｍｍ未満、１．００ｍｍ未満、０．８０ｍｍ未満、０．６０ｍｍ未満、０．４０ｍｍ未満、または０．２０ｍｍ未満の厚さを備えていてもよい。例えば、内部の薄い部分２２９は、０．２０ｍｍから０．４０ｍｍ、０．４０ｍｍから０．６０ｍｍ、０．４５ｍｍから０．７０ｍｍ、０．６０ｍｍから０．８０ｍｍ、または０．８０ｍｍから１．１５ｍｍの間の厚さを備えていてもよい。いくつかの例では、１つまたは複数の内部の薄い部分２２９の厚さは０．４３ｍｍである。
【００７１】
１つまたは複数の外部の薄い部分２２８および／または内部の薄い部分２２９を有するゴルフクラブヘッド２２０は、遠心鋳造を用いて製作することができる。他の例では、１つまたは複数の外部の薄い部分２２８および／または内部の薄い部分２２９を有するゴルフクラブヘッド２２０の部分は、スタンピング、鍛造、または機械加工など、他の適切な方法を用いて製作することができる。１つまたは複数の外部の薄い部分および／または内部の薄い部分２２９を有するゴルフクラブヘッド２２０の部分は、スタンピング、鍛造、または機械加工を用いて製作される例では、ゴルフクラブヘッド２２０のその部分は、エポキシ、テープ、溶接、機械的な締結具、または他の適切な方法を用いて結合することができる。
【００７２】
一実施形態では、リブ付き領域２２１０は、第１の外部リブ２２２、および第２の外部リブ２２２を備える。第１の外部リブ２２２は、第１の第１の外部リブ端点２４２と、第２の第１の外部リブ端点２４４と、第１の第１の外部リブ端点２４２および第２の第１の外部リブ端点２４４を通って延びる第１の外部リブ軸２４０と、を備える。同様に、第２の外部リブ２２２は、第１の第２の外部リブ端点２４２と、第２の第２の外部リブ端点２４４と、第１の第２の外部リブ端点２４２および第２の第２の外部リブ端点２４４を通って延びる第２の外部リブ軸２４０と、を備える。第１および第２の外部リブ軸２４０は、フェースプレート２２５０の前方の、ゴルフクラブヘッド２２０の外部にある共通点２４１へと交差する。
【００７３】
図１７で示されるように、リブ付き領域２２１０は、４本の外部リブ２２２を備える。４本の外部リブ２２２は、フェースプレート２２５０の前方の、ゴルフクラブヘッド２２０に対して外部にある共通点２４１へと交差するリブ軸２４０を画定する。４本の外部リブ２２２は、５つの外部の薄い部分２２８をさらに画定する。５つの外部の薄い部分２２８の厚さは、０．４３ｍｍである。さらに、４本の外部リブ２２２は、わずかな湾曲を備え、またゴルフクラブヘッド２２０の後端部２３４付近から前端部２３２付近に向けて延びる。４本の外部リブ２２２は、互いに交差しない。リブ外側高さは０．２５５ｍｍであり、外部リブ幅２２６は、ゴルフクラブヘッド２２０の前端部２３２付近の４．０６ｍｍから、ゴルフクラブヘッド２２０の後端部２３４付近の２．０３ｍｍまでテーパ状になっている。
【００７４】
例示的な実施形態では、フェースプレート２２５０からリブ付き領域２２１０までで測定される前方距離２２１０１は変化する、一方、クラブヘッド縁部２２０９からリブ付き領域２２１０までで測定される後方距離２２１０２は一定である。前方距離２２１０１は、２５ｍｍから４０ｍｍであると測定され、前方距離２２１０１は、トウ部２２０２およびヒール部２２０３付近で最大となる。後方距離２２１０２は６．３５ｍｍである。
【００７５】
図１７の例示的な実施形態での内部リブ２２３が図１６で示されている。リブ付き領域２２１０は、５本の内部リブ２２３を備える。５本の内部リブ２２３は、ゴルフクラブヘッド２２０のヒール部２２０３付近から、トウ部２２０２付近まで延びる。さらに５本の内部リブ２２３は、リブ付き領域２２１０の内部の薄い部分２２９を超えて、ゴルフクラブヘッド２２０の周辺部２３６内まで延びる。５本の内部リブ２２３は、５本の内部リブ２２３のそれぞれは、５本の内部リブ２２３の端部が５本の内部リブ２２３の中心よりもゴルフクラブヘッド２２０の後端部２３４により近く位置するように湾曲している。さらに５本の内部リブ２２３は、同じ方向に曲がっており、５本の内部リブ２２３の曲率半径が、ゴルフクラブヘッド２２０の前端部２３２から後端部２３４に向けて移動するのに従って次第に減少する。内部リブ高さは１．０１６ｍｍであり、内部リブ幅２２７は４．０６４ｍｍである。
【００７６】
図１６の１つまたは複数の内部リブ２２３は、内部の薄い部分を越えてクラブヘッドの周辺部内まで延びる内部リブを有していないクラブヘッドと比較して、ゴルフクラブヘッド２２０の鋳込速度を４％から１０％向上させる。クラブヘッドの鋳込速度は、例えば、クラウンにおける未充填、金属のフローマーク、有孔率、およびスラグなどの欠陥を考慮に入れた鋳造能力の尺度である。
【００７７】
図１８では、リブ付き領域２２１０の１つまたは複数の外部リブ２２２の別の実施形態が示されている。リブ付き領域２２１０は、４本の外部リブ２２２を備える。４本の外部リブ２２２は、ゴルフクラブヘッド２２０に対して外部にある共通点へと交差するリブ軸２４０を画定する。４本の外部リブ２２２は、５つの外部の薄い部分２２８をさらに画定し、５つの外部の薄い部分２２８の厚さは、０．４３ｍｍから０．５５７ｍｍである。さらに４本の外部リブ２２２は、わずかな湾曲を有し、ゴルフクラブヘッド２２０の後端部２３４付近から前端部２３２付近に向けて延びる。４本の外部リブ２２２は、互いに交差しない。リブ外側高さは０．５１０ｍｍであり、外部リブ幅２２６は、ゴルフクラブヘッド２２０の前端部２３２付近の３．８０ｍｍから、ゴルフクラブヘッド２２０の後端部２３４付近の１．８０ｍｍまでテーパ状になっている。
【００７８】
例示的な実施形態では、フェースプレート２２５０からリブ付き領域２２１０までで測定される前方距離２２１０１は変化しており、一方、クラブヘッド縁部２２０９からリブ付き領域２２１０までで測定される後方距離２２１０２は一定である。前方距離２２１０１は、２５ｍｍから４０ｍｍと測定され、前方距離２２１０１は、トウ部２２０２およびヒール部２２０３付近で最大である。後方距離２２１０２は１ｍｍである。
【００７９】
図１９には、図１８の例示的な実施形態に関するリブ付き領域２２１０に対する１つまたは複数の内部リブ２２３が示されている。リブ付き領域２２１０は、５本の内部リブ２２３を備える。５本の内部リブ２２３のうちの４本は、わずかな湾曲を有しており、後端部２３４付近から、前端部２３２付近に向けて延びる。５本の内部リブ２２３のうちの４本は、互いに交差することなく、さらに、ゴルフクラブヘッド２２０を上面から見たとき、図１８の４本の外部リブ２２２と位置合わせされる。残りの第５の内部リブ２２３は、フェースプレート２２５０に対して凹形をしており、ヒール部２２０３付近から、トウ部２２０２付近に向けて延びる。第５の内部リブ２２３は、他の４本の内部リブ２２３と交差する。内部リブ２２３は、１０個の内部の薄い部分２２９を画定する。１０個の内部の薄い部分２２９は、ゴルフクラブヘッド２２０を上面から見たとき、図１８の５個の外部の薄い領域２２８と位置合わせされる。１０個の内部の薄い部分は、０．４３ｍｍの厚さを有する。内部リブ高さは０．１２７ｍｍであり、内部リブ幅２２７は約４．６０ｍｍである。
【００８０】
図１９の内部リブ２２３は、他の内部リブおよび外部リブと比較して、１つまたは複数の内部の薄い部分２２９、および１つまたは複数の外部の薄い部分２２８内の鋳造材料の流れを１０％から１５％向上させる。ゴルフクラブヘッド２２０のリブ付き領域２２１０の別の実施形態では、リブ付き領域２２１０は、図１７の１つまたは複数の外部リブ２２２と、図１９の１つまたは複数の内部リブ２２３と、図１７および図１９の特性の任意の変形形態とを備えていてもよい。ゴルフクラブヘッド２２０のリブ付き領域２２１０の他の実施形態では、リブ付き領域２２１０は、図１８の１つまたは複数の外部リブ２２２と、図１６の１つまたは複数の内部リブ２２３と、図１６および図１８の特性の任意の変形形態とを備えていてもよい。
【００８１】
図１６〜図１９で示される実施形態では、ゴルフクラブヘッド２２０のリブ付き領域２２１０は、クラウン厚さをさらに含む。クラウン厚さは、約０．１２７ｍｍから０．６３５ｍｍ、０．１２７ｍｍから０．１７５ｍｍ、０．１７５ｍｍから０．２２５ｍｍ、０．２２５ｍｍから０．３００ｍｍ、０．３００ｍｍから０．３５０ｍｍ、０．３５０ｍｍから０．４７５ｍｍ、０．４７５ｍｍから０．５５０ｍｍ、または０．５５０ｍｍから０．６３５ｍｍの範囲であってもよい。例えば、クラウン厚さは、０．１２７ｍｍ、０．２５５ｍｍ、０．３１５ｍｍ、０．３９０ｍｍ、０．４４０ｍｍ、０．０４７０ｍｍ、０．５２５ｍｍ、０．５８０ｍｍ、または０．６３５ｍｍであってもよい。
【００８２】
図１３は、ゴルフクラブヘッドを提供するための方法３４０００のフローチャートを示す。いくつかの例では、ゴルフクラブヘッドは、ゴルフクラブヘッド２２０、１つまたは複数の上述したリブ付き領域もしくはリブを備えるゴルフクラブヘッド、および／またはそれらの変形形態など、前に述べたゴルフクラブヘッドのうちの１つまたは複数のものと同様のものとすることができる。
【００８３】
方法３４０００のブロック３４１００は、ヒール部、トウ部、ソール、およびクラウンを備える本体を提供することを含む。いくつかの例では、本体、および／またはヒール部、トウ部、ソール、またはクラウンは、本明細書で述べられた１つまたは複数のゴルフクラブヘッドのものと同様であってもよい。
【００８４】
方法３４０００のブロック３４２００は、ブロック３４１００のヒール部、トウ部、ソール、またはクラウンの少なくとも１つの少なくとも一部において、リブ付き領域を提供することを含む。いくつかの例では、リブ付き領域は、リブ付き領域２２１０（図１）、リブ付き領域２３２０（図２）、リブ付き領域２３３０（図２）、リブ付き領域２６０、リブ付き領域２８０、リブ付き領域３００および／またはリブ付き領域３２０のうちの１つまたは複数のものと同様であり得る。
【００８５】
ブロック３４２００は、いくつかの例では、ブロック３４２１０を含んでいてもよい。ブロック３４２１０は、リブ付き壁と、リブ付き壁から突き出た１つまたは複数のリブを提供することを含む。いくつかの実施形態では、リブ付き壁は、リブ付き壁２２１２と同様のものであり、かつ／またはリブ付き壁２６５と同様であってもよい。同様のまたは他の実施形態では、１つまたは複数のリブは、リブ２２１１（図１）、リブ２３２１（図２）、またはリブ２３３１（図２）のうちの１つまたは複数のものと同様であり、かつ／またはリブ２６１、リブ２８１、リブ３０１、またはリブ３２１と同様であってもよい。
【００８６】
いくつかの例では、ブロック３４２１０で、リブ付き壁および１つまたは複数のリブを提供することは、ブロック３４２１１および３４２１２により達成することができる。ブロック３４２１１は、型で金属材料から鋳造体を鋳造することを含む。図１４は、鋳造体３５０の横断面図を示しており、方法３４０００のブロック３４２１１の鋳造体と同様のであってもよく、またそれを使用して、リブ付き領域２２１０（図１）、リブ付き領域２３２０（図２）、リブ付き領域２３３０（図２）、リブ付き領域２６０、リブ付き領域２８０、リブ付き領域３００、および／またはリブ付き領域３２０のうちの１つまたは複数のものと同様のリブ付き領域を形成することができる。いくつかの例では、鋳造体３５０の金属材料は、チタン材料を含んでいてもよい。鋳造体３５０は、鋳造側部３５５１と、鋳造側部３５５１の反対側にある鋳造側部３５５２と、を備える。
【００８７】
本実施例では、鋳造側部３５５２は、リブ３５１のリブ外側セクション３５１２を備え、リブ２６１のリブ外側セクション２６１２など、リブのリブ外側セクションの１つまたは複数のものと同様であってもよい。また、鋳造側部３５５２は、リブ付き壁２６５のリブ付き壁外側面２６５２を備える。リブ外側セクション３５１２および／またはリブ付き壁外側面２６５２は、鋳造体３５０の鋳造中に、鋳型により直接鋳造され得るが、リブ内側セクション３５１１およびリブ付き壁内側面２６５１の形成に関する以下の説明と同様な方法で、形成することもできる。
【００８８】
方法３４０００（図１３）のブロック３４２１２は、鋳造体の第１の鋳造側部の１つまたは複数の犠牲層を取り除き、１つまたは複数のリブの第１のリブの少なくとも一部を形成し、かつリブ付き領域のリブ付き壁内側面、またリブ付き壁外側面の一方を備える第１の面を露出させることを含む。図１４の例に関して、第１の鋳造側部は、鋳造体３５０の側部３５５１と同様のものであり、１つまたは複数の犠牲層は、１つまたは複数の犠牲層３５９０と同様であってもよく、第１のリブの一部は、リブ３５１のリブ内側セクション３５１１の少なくとも一部と同様のものであり、また、第１の面は、リブ付き壁内側面２６５１と同様のものであり得る。別の例では、第１の鋳造側部は、鋳造側部３５５２と同様のものであり、第１のリブの一部は、リブ３５１のリブ外側セクション３５１２の少なくとも一部と同様であり、また第１の面は、リブ付き壁外側面２６５２と同様であってもよい。
【００８９】
ブロック３４２１２（図１３）で、第１の鋳造側部の１つまたは複数の犠牲層を取り除くことは、化学的なエッチング工程により実施することができる。図１４の例に関して、マスク３５１１１をリブ内側セクション３５１１の外側縁部に適用することができ、次いで、化学的なエッチング液を鋳造側部３５５１に加えて、リブ付き壁内側面２６５１まで犠牲層３５９０を除去することができる。いくつかの例では、マスク３５１１１は、ポリウレタン塗装材料、抵抗薄膜、ろう材料、タール材料、グリース材料、または他の抵抗性材料を含んでいてもよい。同様のまたは他の例では、化学的エッチング工程に使用される化学的エッチング液は、例えば、フッ化水素酸を含んでいてもよい。鋳造体３５０の材料がチタン材料である一実装形態では、フッ化水素酸の化学的エッチング液は、約２５分に約０．２５ｍｍの速度でこのようなチタン材料をエッチングすることができる。他の例では、１つまたは複数の犠牲層は、機械加工、レーザ・エッチング、放電加工、電気化学加工、および／または砥粒研磨（ａｂｒａｓｉｖｅ  ｐｏｌｉｓｈｉｎｇ）によるなど、他の方法によって、鋳造体３５０から除去することができる。
【００９０】
いくつかの例では、鋳造体３５０（図１４）などの鋳造体を鋳造し、次いで、犠牲層３５９０のような犠牲層を除去することができることは、上記で述べたものと同様のリブを備えたリブ付き壁２６５などの強化された壁の作成を可能にすることができ、このような強化されたリブ付き壁は、普通であれば鋳造単独で実行可能なものよりも、薄くすることができる。例えば、鋳造体３５０は、いくつかの例では、鋳造側部３５５１と３５５２の間で、最長で約１．０３ｍｍの鋳造壁の厚さ３５５５（図１４）を備えることができ、鋳造壁の厚さ３５５５は、本実施形態において、約０．５３ｍｍから約０．６４ｍｍである。しかしながら、溶融された金属材料が、狭い鋳型の導管中に流入する、またはそれを通って流れること、および／または鋳型内の対応する小さな型の隙間を一定に、もしくは適正に充填することはより困難になるので、壁の厚さを、鋳造壁の厚さ３５５５において上記で述べたものよりも薄く鋳造することは、ますます困難になり得る。上記で述べた鋳造工程のこのような限界により制約された鋳造壁の厚さ３５５５に対する最小の厚さにもかかわらず、上記で述べた犠牲層除去方法により、壁の厚さにおけるさらなる低減を達成することができ、したがって、より薄いリブ付き壁の厚さ２６５５で、リブ付き壁２６５の形成を可能にする。したがって、犠牲層３５９０などの犠牲層をさらに除去できることにより、より薄く軽いリブ付き領域の形成を可能にし、リブ付き領域は、構造的な完全性および／または耐久性に関して上記で述べたように、強化リブを備えることができる。加えて、犠牲層３５９０の除去は、ゴルフクラブヘッドの合計質量を増加させることなく、性能が向上するようにゴルフクラブヘッドの他のエリアへと質量を再配置することが許容される。
【００９１】
方法３４０００の様々なブロックを、単一のブロックへと組み合わせる、もしくは同時に実施できる、かつ／またはこのようなブロックの順序を変更できる例があり得る。例えば、いくつかの例では、ブロック３４２１１は、ブロック３４１００と同時に実行することができる。方法２０００が、さらなるブロック、または異なるブロックを含むことのできる例もあり得る。例として、方法３４０００は、フェースプレートをブロック３４１００の本体に結合するための別のブロックを含むことができる。方法２０００が、より少ないブロックを含むことのできる例もあり得る。例えば、ゴルフクラブヘッド２２０は、鋳造により製作することができ、ブロック３４２１２を除くことができる。本開示の範囲から逸脱することなく、他の変形形態を方法３４０００に関して実施することもできる。
【００９２】
本明細書におけるリブを有するゴルフクラブヘッド、および関連する方法は、特定の実施形態を参照して述べられてきたが、本開示の趣旨または範囲から逸脱することなく様々な変更を行うことができる。例として、一実施形態は、リブ２６１、リブ２８１、リブ３０１、および／またはリブ３２１の１つまたは複数のものと同様なリブを備えることができ、このような１つまたは複数のリブは、リブ付き壁外側面２６５２、またはリブ付き壁内側面２６５１の一方からだけ突き出ることができる。別の例は、ゴルフクラブヘッド２２０と同様であるが、リブ付き領域２２１０（図１）、リブ付き領域２３２０（図２）、またはリブ付き領域２３３０（図２）のうちの少なくとも１つを備えていないゴルフクラブヘッドを含むことができる。別の例は、ゴルフクラブヘッド２２０と同様であるが、ソール厚さ領域２３０４１が無く、リブ付き領域２３２０と２３３０が共に一体化されたゴルフクラブヘッドを備えることができる。別の例では、リブ付き領域２３２０および／または２３３０の一方または両方が、ソール２３０４まで延びることなくスカート２３０５のみに位置していてもよい。
【００９３】
さらなる例が前述の記述において示されてきた。様々な図の特徴の１つまたは複数のものを有する様々な実施形態の他の置換えも同様に企図される。したがって、本明細書における開示は例示的なものであり、限定することを意図していない。本出願の範囲は、添付の特許請求の範囲により要求される範囲に限って限定されるように意図されている。
【００９４】
本明細書で論じられたリブを備えたゴルフクラブヘッド、および関連する方法は、様々な実施形態において実施することができ、またこれらの実施形態の特定のものに関する前述の論議は、必ずしもすべての可能な実施形態の完全な記述を表すものではない。そうではなくて、図面の詳細な記述、および図面それ自体は、少なくとも１つの好ましい実施形態を開示するものであり、代替の実施形態を開示することもできる。
【００９５】
ゴルフに対するルールは時々変わる可能性があるので（例えば、全米ゴルフ協会（ＵＳＧＡ）、全英ゴルフ協会（Ｒ＆Ａ）などのゴルフ標準機関および／または管理団体によって、新しい規則が採用されたり、古いルールが除かれたりする可能性がある）、本明細書で述べられた装置、方法、および製品に関連するゴルフ用具は、いずれかの特定の時間において、ゴルフのルールに準拠している、または準拠していないこともあり得る。したがって、本明細書で述べられた装置、方法、および製品に関連するゴルフ用具は、準拠した、または準拠していないゴルフ用具として、広告され、販売に提供され、かつ／または販売される可能性がある。本明細書で述べられた装置、方法、および製品は、これに関して限定されない。
【００９６】
上記の例は、ドライバータイプのゴルフクラブに関して述べることができるが、本明細書で述べられた装置、方法、および製品は、フェアウェイウッドタイプのゴルフクラブ、ハイブリッドタイプのゴルフクラブ、アイアンタイプのゴルフクラブ、ウェッジタイプのゴルフクラブ、またはパタータイプのゴルフクラブなど、他のタイプのゴルフクラブに対しても適用することができる。代替的に、本明細書で述べられた装置、方法、および製品は、ホッケー・スティック、テニス・ラケット、釣り竿、スキーのストックなどの他のタイプのスポーツ用具にも適用可能であり得る。
【００９７】
いずれかの特定の請求項で特許請求されるすべての構成要件は、その特定の請求項で特許請求される実施形態に対して不可欠なものである。したがって、１つまたは複数の特許請求される構成要件を置き換えることは、再構成を構成するものであり、修復するものではない。さらに、特定の実施形態に関して、利益、他の利点、および問題に対する解決策が述べられてきた。しかし、利益、利点、問題に対する解決策、および何らかの利益、利点、または解決策を生じさせる、またはより顕著にする可能性のある何らかの１つまたは複数の構成要件は、このような利益、利点、解決策、または構成要件が、このような請求項で明示的に述べられていない限り、請求項のいずれか、もしくはすべてに関して、重要な、必要な、または不可欠な特徴もしくは構成要件として解釈されるべきではない。
【００９８】
さらに、本明細書で開示される実施形態および限定は、その実施形態および／または限定が、（１）請求項で明示的に特許請求されておらず、かつ（２）均等論の下に請求項における明示的な構成要件および／または限定事項であるか、あるいは潜在的にその均等物である場合、供与の原則（ｄｏｃｔｒｉｎｅ  ｏｆ  ｄｅｄｉｃａｔｉｏｎ）の下で公共に供されることはない。
【図１】
0006386695.tif 000002
【図２】
0006386695.tif 000003
【図３】
0006386695.tif 000004
【図４】
0006386695.tif 000005
【図５】
0006386695.tif 000006
【図６】
0006386695.tif 000007
【図７】
0006386695.tif 000008
【図８】
0006386695.tif 000009
【図９】
0006386695.tif 000010
【図１０】
0006386695.tif 000011
【図１１】
0006386695.tif 000012
【図１２】
0006386695.tif 000013
【図１３】
0006386695.tif 000014
【図１４】
0006386695.tif 000015
【図１５】
0006386695.tif 000016
【図１６】
0006386695.tif 000017
【図１７】
0006386695.tif 000018
【図１８】
0006386695.tif 000019
【図１９】
0006386695.tif 000020
【図２０】
0006386695.tif 000021